(57)【要約】  移動体ネットワークオペレータに割り当てられた周波数帯を用いて運用する第１セル（Ｌ−Ｃｅｌｌ）と、前記移動体ネットワークオペレータに周波数の占有が許可されていない特定周波数帯を用いて運用する第２セル（Ｕ−Ｃｅｌｌ）とを有する基地局（ｅＮＢ２００）における通信制御方法は、前記基地局が、前記特定周波数帯で運用されている周辺セルの物理セル識別子（ＰＣＩ）を取得し、前記基地局が、取得した前記周辺セルの前記物理セル識別子以外の物理セル識別子を前記第２セルに設定するステップとを有する。
2016047628.tif 000002
【特許請求の範囲】
【請求項１】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備え、
前記制御部は、前記特定周波数帯で運用されている周辺セルの物理セル識別子とは異なる物理セル識別子を前記第２セルに設定する基地局。
【請求項２】
請求項１に記載の基地局であって、
前記制御部は、前記周辺セルの物理セル識別子を取得し、取得した物理セル識別子とは異なる物理セル識別子を前記第２セルに設定する基地局。
【請求項３】
請求項２に記載の基地局であって、
前記制御部は、前記第１セルに在圏中の移動局から前記周辺セルの前記物理セル識別子を取得する基地局。
【請求項４】
請求項２に記載の基地局であって、
前記制御部は、前記周辺セルの前記物理セル識別子を、自基地局が前記周辺セルをサーチすることにより取得する基地局。
【請求項５】
請求項１に記載の基地局であって、
前記特定周波数帯用の物理セル識別子は、前記割当周波数帯用の物理セル識別子に比べて拡張された拡張領域を有し、
前記制御部は、前記特定周波数帯用の物理セル識別子を前記第２セルに設定する基地局。
【請求項６】
請求項１に記載の基地局であって、
前記特定周波数帯用の物理セル識別子と前記割当周波数帯用の物理セル識別子とが別々に確保されており、
前記制御部は、前記特定周波数帯用の物理セル識別子を前記第２セルに設定する基地局。
【請求項７】
請求項１に記載の基地局であって、
前記制御部は、移動局からの検知報告又は自基地局によるサーチに基づいて、前記第２セルに設定されている物理セル識別子が前記周辺セルの物理セル識別子と重複していると判断した場合、前記第２セルに別の物理セル識別子を再設定する基地局。
【請求項８】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備え、
前記制御部は、前記特定周波数帯で運用されている周辺セルの物理セル識別子を取得し、取得した物理セル識別子に基づく情報を前記基地局に送信する処理を行う移動局。
【請求項９】
請求項８に記載の移動局であって、
前記制御部は、前記基地局からの指示に応じて、前記周辺セルの物理セル識別子を前記基地局に送信する処理を行う移動局。
【請求項１０】
請求項８に記載の移動局であって、
前記制御部は、前記第２セルの物理セル識別子と前記周辺セルの物理セル識別子との重複を検知した場合、前記重複を示す検知報告を前記基地局に送信する処理を行う移動局。
【請求項１１】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備え、
前記制御部は、前記第１のセルを介して前記割当周波数帯用の同期信号を送信し、かつ、前記第２のセルを介して前記特定周波数帯用の同期信号を送信する処理を行い、
前記特定周波数帯用の同期信号は、前記割当周波数帯用の同期信号とは信号構成が異なる基地局。
【請求項１２】
請求項１１に記載の基地局であって、
前記割当周波数帯用の同期信号は、第１の同期信号及び第２の同期信号からなり、
前記特定周波数帯用の同期信号は、前記第１の同期信号及び前記第２の同期信号に加えて、前記特定周波数帯専用の特定の同期信号を含む基地局。
【請求項１３】
請求項１１に記載の基地局であって、
前記割当周波数帯用の同期信号には、所定のリソース配置パターンが適用され、
前記特定周波数帯用の同期信号は、前記所定のリソース配置パターンとは異なるリソース配置パターンが適用される基地局。
【請求項１４】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備え、
前記特定周波数帯用の同期信号は、前記割当周波数帯用の同期信号とは信号構成が異なり、
前記制御部は、前記信号構成の相違に基づいて、前記第２セルの同期信号を特定する移動局。
【請求項１５】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備え、
前記制御部は、前記特定周波数帯に含まれる複数のコンポーネントキャリアを移動局に割り当て、前記第２セルにおいて前記移動局との通信に用いるコンポーネントキャリアを所定のホッピングパターンで切り替えながら前記移動局との通信を行う基地局。
【請求項１６】
請求項１５に記載の基地局であって、
前記制御部は、前記第１セルを介して、前記移動局に割り当てる前記複数のコンポーネントキャリア及び前記所定のホッピングパターンを前記移動局に通知する基地局。
【請求項１７】
請求項１５に記載の基地局であって、
前記制御部は、前記移動局に割り当てるコンポーネントキャリアの設定情報として仮想的なコンポーネントキャリア番号を前記移動局に通知した後、前記仮想的なコンポーネント番号と前記移動局との通信に実際に用いるコンポーネントキャリアとの対応付けを前記移動局に通知することを特徴とする基地局。
【請求項１８】
請求項１７に記載の基地局であって、
前記仮想的なコンポーネントキャリア番号は、再送制御処理と関連づけられ、
前記制御部は、前記実際に用いるコンポーネントキャリアを変更しても、前記仮想的なコンポーネントキャリア番号と関連付けられた前記再送制御処理を継続する基地局。
【請求項１９】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備え、
前記制御部は、前記特定周波数帯に含まれる複数のコンポーネントキャリアが自移動局に割り当てられた場合、前記第２セルにおいて前記基地局との通信に用いるコンポーネントキャリアを所定のホッピングパターンで切り替えながら前記基地局との通信を行う移動局。
【請求項２０】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備え、
前記制御部は、
前記第２セルを介してランダムアクセスプリアンブルを送信することを指示する指示信号を、前記第１セルを介して移動局に送信する処理と、
前記移動局から前記第２セルを介して受信する前記ランダムアクセスプリアンブルに基づいて、前記第２セルにおける通信に用いる上り送信タイミングの調整値を前記移動局に通知する処理と、を行う基地局。
【請求項２１】
請求項２０に記載の基地局であって、
前記制御部は、前記移動局に前記上り送信タイミングの調整値を通知する際に、前記第２セルにおける通信に用いる上り送信電力を前記移動局に指示する基地局。
【請求項２２】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備え、
前記制御部は、
前記第２セルを介してランダムアクセスプリアンブルを送信することを指示する指示信号を、前記第１セルを介して受信した場合、前記第２セルを介して前記ランダムアクセスプリアンブルを送信する処理と、
前記第２セルにおける通信に用いる上り送信タイミングの調整値を前記基地局から受信する処理と、を行う移動局。
【請求項２３】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備え、
前記制御部は、前記第２セルで送信されているリファレンス信号の測定指示を前記基地局から受信した場合、前記リファレンス信号に基づいて前記基地局と自移動局との間のパスロスを推定し、前記パスロスに基づいて前記第２セルにおける通信に用いる上り送信電力を決定する移動局。
【請求項２４】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備え、
前記制御部は、
前記第２セルで送信されているリファレンス信号の測定指示を移動局に送信する処理と、
前記リファレンス信号の測定結果を前記移動局から受信した場合、前記受信結果に基づいて、前記第２セルにおける通信に用いる上り変調方式を決定する処理と、を行う基地局。
【請求項２５】
移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備え、
前記制御部は、前記第２セルにおける移動局へのデータ送信が終了してからリファレンス信号の送信を行うまでの所定期間内で、前記第２セルにおける送信を停止するとともに、前記特定周波数帯における他装置の割り込みを監視する基地局。
【発明の詳細な説明】
【技術分野】
【０００１】
本発明は、移動通信システムにおいて用いられる基地局及び移動局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、急増するトラフィック需要に応えるべく、ＬＴＥ（Ｌｏｎｇ  Ｔｅｒｍ  Ｅｖｏｌｕｔｉｏｎ）を高度化する仕様策定が進められている（例えば非特許文献１参照）。【０００３】
一方で、アンライセンスドバンドやライセンスシャアドバンド、ホワイトスペースと称される周波数帯の利用が注目されている。アンライセンスバンドとは、免許不要で利用可能な周波数帯である。ライセンスシャアドバンドは、時間、場所、周波数などを変えて既存免許人と同一の周波数帯を共用可能な周波数帯である。ホワイトスペースは、デジタルテレビ放送などの一の目的を持つ利用者（「周波数の一次利用者」と称される）のために割り当てられている周波数帯ではあるものの、地理的条件・技術的条件によっては他の目的を持つ利用者（「周波数の二次利用者」と称される）も利用可能な周波数帯である。【０００４】
アンライセンスドバンドやライセンスシャアドバンド、ホワイトスペースは、特定周波数帯と称される。ここで、移動通信システムにおいて急増するトラフィック需要に応えるための一手段として、上述した特定周波数帯を移動体通信に利用することが考えられる。
【先行技術文献】
【非特許文献】
【０００５】
【非特許文献１】３ＧＰＰ技術仕様書「ＴＳ３６．３００  Ｖ１２．０．０」  ２０１４年１月
【発明の概要】
【０００６】
しかしながら、上述した特定周波数帯は、移動体ネットワークオペレータによる周波数の一次利用が許可されておらず、一の移動体ネットワークオペレータが占有できない周波数帯（いわゆる、アンライセンスドバンド）であるため、当該特定周波数帯を移動体通信に利用することが難しいという問題がある。
【０００７】
そこで、本発明は、特定周波数帯を適切に移動体通信に利用可能とする基地局及び移動局を提供する。
【図面の簡単な説明】
【０００８】
【図１】第１実施形態乃至第４実施形態に係るＬＴＥシステムの構成図である。
【図２】第１実施形態乃至第４実施形態に係るＵＥのブロック図である。
【図３】第１実施形態乃至第４実施形態に係るｅＮＢのブロック図である。
【図４】第１実施形態乃至第４実施形態に係る無線インターフェイスのプロトコルスタック図である。
【図５】第１実施形態乃至第４実施形態に係る無線フレームの構成図である。
【図６】第１実施形態乃至第４実施形態に係るLTE及びU-Cellのシステム構成図である。
【図７】第１実施形態に係るシーケンス図である（UEによるサーチ）。
【図８】第１実施形態に係るシーケンス図である（eNBによるサーチ）。
【図９】第１実施形態に係る同期信号（PSS/SSS/USS）の配置図である。
【図１０】第１実施形態に係る同期信号（PSS/SSS）の配置図である。
【図１１】第１実施形態に係る物理セル識別子の構成図である。
【図１２】第１実施形態に係るシーケンス図である（衝突検出）。
【図１３】第２実施形態に係るUEへのリソース割り当てを示す図である。
【図１４】第２実施形態に係るシーケンス図である（HARQ）。
【図１５】第２実施形態に係るシーケンス図である（RACH送信）。
【図１６】第３実施形態に係るUEへのリソース割り当てを示す図である。
【図１７】第３実施形態に係るシーケンス図である（送信電力制御）。
【図１８】第３実施形態に係るシーケンス図である（MCS決定）。
【図１９】第４実施形態に係るシーケンス図である。
【図２０】付記に係る図である。
【図２１】付記に係る図である。
【図２２】付記に係る図である。
【図２３】付記に係る図である。
【発明を実施するための形態】
【０００９】
［実施形態の概要］
第１実施形態に係る基地局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備える。前記制御部は、前記特定周波数帯で運用されている周辺セルの物理セル識別子とは異なる物理セル識別子を前記第２セルに設定する。
【００１０】
前記制御部は、前記周辺セルの物理セル識別子を取得し、取得した物理セル識別子とは異なる物理セル識別子を前記第２セルに設定してもよい。
【００１１】
前記制御部は、前記第１セルに在圏中の移動局から前記周辺セルの前記物理セル識別子を取得してもよい。
【００１２】
前記制御部は、前記周辺セルの前記物理セル識別子を、自基地局が前記周辺セルをサーチすることにより取得してもよい。
【００１３】
前記特定周波数帯用の物理セル識別子は、前記割当周波数帯用の物理セル識別子に比べて拡張された拡張領域を有し、前記制御部は、前記特定周波数帯用の物理セル識別子を前記第２セルに設定してもよい。
【００１４】
前記特定周波数帯用の物理セル識別子と前記割当周波数帯用の物理セル識別子とが別々に確保されており、前記制御部は、前記特定周波数帯用の物理セル識別子を前記第２セルに設定してもよい。
【００１５】
前記制御部は、移動局からの検知報告又は自基地局によるサーチに基づいて、前記第２セルに設定されている物理セル識別子が前記周辺セルの物理セル識別子と重複していると判断した場合、前記第２セルに別の物理セル識別子を再設定してもよい。
【００１６】
第１実施形態に係る移動局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備える。前記制御部は、前記特定周波数帯で運用されている周辺セルの物理セル識別子を取得し、取得した物理セル識別子に基づく情報を前記基地局に送信する処理を行う。
【００１７】
前記制御部は、前記基地局からの指示に応じて、前記周辺セルの物理セル識別子を前記基地局に送信する処理を行ってもよい。
【００１８】
前記制御部は、前記第２セルの物理セル識別子と前記周辺セルの物理セル識別子との重複を検知した場合、前記重複を示す検知報告を前記基地局に送信してもよい。
【００１９】
第１実施形態に係る基地局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備える。前記制御部は、前記第１のセルを介して前記割当周波数帯用の同期信号を送信し、かつ、前記第２のセルを介して前記特定周波数帯用の同期信号を送信する処理を行う。前記特定周波数帯用の同期信号は、前記割当周波数帯用の同期信号とは信号構成が異なる。
【００２０】
前記割当周波数帯用の同期信号は、第１の同期信号及び第２の同期信号からなり、前記特定周波数帯用の同期信号は、前記第１の同期信号及び前記第２の同期信号に加えて、前記特定周波数帯専用の特定の同期信号を含んでもよい。
【００２１】
前記割当周波数帯用の同期信号には、所定のリソース配置パターンが適用され、前記特定周波数帯用の同期信号は、前記所定のリソース配置パターンとは異なるリソース配置パターンが適用されてもよい。
【００２２】
第１実施形態に係る移動局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備える。前記特定周波数帯用の同期信号は、前記割当周波数帯用の同期信号とは信号構成が異なる。前記制御部は、前記信号構成の相違に基づいて、前記第２セルの同期信号を特定する。
【００２３】
第２実施形態に係る基地局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備える。前記制御部は、前記特定周波数帯に含まれる複数のコンポーネントキャリアを移動局に割り当て、前記第２セルにおいて前記移動局との通信に用いるコンポーネントキャリアを所定のホッピングパターンで切り替えながら前記移動局との通信を行う。
【００２４】
前記制御部は、前記第１セルを介して、前記移動局に割り当てる前記複数のコンポーネントキャリア及び前記所定のホッピングパターンを前記移動局に通知してもよい。
【００２５】
前記制御部は、前記移動局に割り当てるコンポーネントキャリアの設定情報として仮想的なコンポーネントキャリア番号を前記移動局に通知した後、前記仮想的なコンポーネント番号と前記移動局との通信に実際に用いるコンポーネントキャリアとの対応付けを前記移動局に通知してもよい。
【００２６】
前記仮想的なコンポーネントキャリア番号は、再送制御処理と関連づけられ、前記制御部は、前記実際に用いるコンポーネントキャリアを変更しても、前記仮想的なコンポーネントキャリア番号と関連付けられた前記再送制御処理を継続してもよい。
【００２７】
第２実施形態に係る移動局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備える。前記制御部は、前記特定周波数帯に含まれる複数のコンポーネントキャリアが自移動局に割り当てられた場合、前記第２セルにおいて前記基地局との通信に用いるコンポーネントキャリアを所定のホッピングパターンで切り替えながら前記基地局との通信を行う。
【００２８】
第３実施形態に係る基地局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備える。前記制御部は、前記第２セルを介してランダムアクセスプリアンブルを送信することを指示する指示信号を、前記第１セルを介して移動局に送信する処理と、前記移動局から前記第２セルを介して受信する前記ランダムアクセスプリアンブルに基づいて、前記第２セルにおける通信に用いる上り送信タイミングの調整値を前記移動局に通知する処理と、を行う。
【００２９】
前記制御部は、前記移動局に前記上り送信タイミングの調整値を通知する際に、前記第２セルにおける通信に用いる上り送信電力を前記移動局に指示してもよい。
【００３０】
第３実施形態に係る移動局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備える。前記制御部は、前記第２セルを介してランダムアクセスプリアンブルを送信することを指示する指示信号を、前記第１セルを介して受信した場合、前記第２セルを介して前記ランダムアクセスプリアンブルを送信する処理と、前記第２セルにおける通信に用いる上り送信タイミングの調整値を前記基地局から受信する処理と、を行う。
【００３１】
第３実施形態に係る移動局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する基地局との通信を行う制御部を備える。前記制御部は、前記第２セルで送信されているリファレンス信号の測定指示を前記基地局から受信した場合、前記リファレンス信号に基づいて前記基地局と自移動局との間のパスロスを推定し、前記パスロスに基づいて前記第２セルにおける通信に用いる上り送信電力を決定する。
【００３２】
第３実施形態に係る基地局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備える。前記制御部は、前記第２セルで送信されているリファレンス信号の測定指示を移動局に送信する処理と、前記リファレンス信号の測定結果を前記移動局から受信した場合、前記受信結果に基づいて、前記第２セルにおける通信に用いる上り変調方式を決定する処理と、を行う。
【００３３】
第４実施形態に係る基地局は、移動体ネットワークオペレータに割り当てられた割当周波数帯を用いて運用する第１セルと、前記移動体ネットワークオペレータに周波数の占有が許可されていない特定周波数帯を用いて運用する第２セルと、を管理する制御部を備える。前記制御部は、前記第２セルにおける移動局へのデータ送信が終了してからリファレンス信号の送信を行うまでの所定期間内で、前記第２セルにおける送信を停止するとともに、前記特定周波数帯における他装置の割り込みを監視する。
【００３４】
［第１実施形態］
以下において、本発明をＬＴＥシステムに適用する場合の実施形態を説明する。
【００３５】
（ＬＴＥシステム構成）
図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３６】
ＵＥ１００は、移動局に相当する。ＵＥ１００は、移動型の通信装置であり、接続先のセル（サービングセル）との無線通信を行う。ＵＥ１００の構成については後述する。
【００３７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３８】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３９】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００４０】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４１】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００４２】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４３】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４４】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。メモリ２３０は記憶部に相当し、プロセッサ２４０は制御部に相当する。メモリ２３０及びプロセッサ２４０により制御部を構成してもよい。
【００４５】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４６】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４７】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４８】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００５０】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００５１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５２】
ＰＤＣＰ層は、ヘッダ圧縮・伸張、及び暗号化・復号化を行う。
【００５３】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００５４】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５５】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５６】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００５７】
ＵＥ１００に割り当てられる無線リソースのうち、周波数リソースはリソースブロックにより構成され、時間リソースはサブフレーム（又はスロット）により構成される。
【００５８】
下りリンクにおいて、各サブフレームの先頭数シンボルの区間は、主に下りリンク制御信号を伝送するための物理下りリンク制御チャネル（ＰＤＣＣＨ）として使用される領域である。また、各サブフレームの残りの部分は、主に下りリンクユーザデータを伝送するための物理下りリンク共有チャネル（ＰＤＳＣＨ）として使用できる領域である。
【００５９】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクユーザデータを伝送するための物理上りリンク共有チャネル（ＰＵＳＣＨ）として使用できる領域である。
【００６０】
（セル識別子）
ＬＴＥシステムにおいて、各セルには、セルを識別するためのセル識別子が割り当てられている。セル識別子は、物理セル識別子（ＰＣＩ）及びセルグローバル識別子（ＥＣＧＩ）などである。ＥＣＧＩは、ＭＣＣ、ＭＮＣ、ＥＣＩで構成されており、ＥＣＩは、ＰＣＩとｅＮＢ識別子との組み合わせにより構成される。
【００６１】
ＰＣＩは８ビットで構成され、主に物理層において利用される。仕様上定義されているＰＣＩは５０４個である。また、セル固有参照信号（ＣＲＳ）の信号系列は５０４個用意され、当該信号系列はＰＣＩと対応付けられている。ＰＣＩは、１６８個のセルＩＤグループに分けられており、各セルＩＤグループには３つのセルＩＤが含まれる（１６８×３＝５０４）。
【００６２】
ＵＥ１００は、セルサーチの際に、セルから受信するプライマリ同期信号（ＰＳＳ）及びセカンダリ同期信号（ＳＳＳ）により、当該セルのＰＣＩを特定する。具体的には、ＰＳＳの値はセルＩＤグループ中のセルＩＤ（３個）と対応付けられており、ＳＳＳの値はセルＩＤグループ（１６８個）と対応付けられており、ＰＳＳ及びＳＳＳの組み合わせによりＰＣＩが特定される。また、ＰＳＳ及びＳＳＳにより下りリンクのフレームレベルの同期がとられる。
【００６３】
ＵＥ１００は、ＰＳＳ及びＳＳＳの組み合わせによりセルのＰＣＩを特定した後、ＰＣＩに基づいてＣＲＳを受信する。ＣＲＳにより下りリンクのシンボル同期及び周波数同期がとられる。ＣＲＳは、６サブキャリア間隔で、スロット中の最初のＯＦＤＭシンボルと最後から３番目のＯＦＤＭシンボルとに設けられる。また、ＣＲＳは、ＰＣＩに応じて６つの周波数シフトのグループ（ＣＲＳ周波数シフトグループ）に分けられている。
【００６４】
なお、ＥＣＧＩは、ＲＲＣ層で送受信されるシステム情報ブロック（ＳＩＢ）によりセルから報知される。
【００６５】
（特定周波数帯利用時のシステム構成）
図６を用いて、移動体ネットワークオペレータが特定周波数帯を使用する際のシステム構成を説明する。
【００６６】
図６は、移動体ネットワークオペレータである事業者Ａ、及び、事業者Ｂ、並びにＷＬＡＮ（ＷｉＦｉ等）が５ＧＨｚ帯の特定周波数帯を共用する際の、システム構成図である。
【００６７】
事業者Ａ、事業者Ｂ、及びＷＬＡＮで５ＧＨｚ帯のアンライセンスドバンドＥを共用している。
【００６８】
事業者Ａは、事業者Ａが占有できるライセンスバンドＡとＣ、事業者Ａが占有できないアンライセンスバンドＥを用いて、通信サービスを提供する。
【００６９】
事業者Ｂは、事業者Ｂが占有できるライセンスバンドＢとＤ、事業者Ｂが占有できないアンライセンスバンドＥを用いて、通信サービスを提供する。
【００７０】
アンライセンスバンドＥは、公衆無線ＬＡＮや、個人がＷＬＡＮを用いて通信する際にも使用される。
【００７１】
例えば、事業者Ａは、ｅＮＢ２００−１にライセンスバンドＡを使用し、ｅＮＢ２００−２にライセンスバンドＣを使用し、ｅＮＢ２００−３にライセンスバンドＣ及びアンライセンスドバンドＥを使用してサービスを提供する。また、事業者Ａは、ＷＬＡＮアクセスポイント２０１−１にアンライセンスドバンドＥを使用しサービスを提供してもよい。
【００７２】
また、事業者Ｂは、ｅＮＢ２００−４にライセンスバンドＢを使用し、ｅＮＢ２００−５にライセンスバンドＤとアンライセンスドバンドＥを使用し、ｅＮＢ２００−６にアンライセンスドバンドＥを使用してサービスを提供する。また、事業者Ｂは、ＷＬＡＮアクセスポイント（２０１−２、２０１−３）にアンライセンスドバンドＥを使用しサービスを提供してもよい。
【００７３】
事業者Ａと事業者Ｂ以外に、公衆無線ＬＡＮ事業者や個人が設置したＷＬＡＮアクセスポイント（２０１−４、２０１−５、２０１−５）にアンライセンスバンドＥが使用される。
【００７４】
図６の例では、ｅＮＢ２００−３及びｅＮＢ２００−５にて、ライセンスバンドとアンライセンスバンドを同時に使用してサービスが提供される。ｅＮＢ２００−３及びｅＮＢ２００−５は、ライセンスバンドを用いてライセンスドセル（Ｌ−Ｃｅｌｌ）と、アンライセンスドセル（Ｕ−Ｃｅｌｌ）を形成する。
【００７５】
（Ｕ−ＣｅｌｌのＰＣＩ設定）
図７乃至図１１を用いてＵ−ＣｅｌｌのＰＣＩ設定方法について説明する。
【００７６】
本実施形態における通信制御方法は、移動体ネットワークオペレータに割り当てられた割当周波数帯（ライセンスバンド）を用いて運用する第１セル（Ｌ−Ｃｅｌｌ）と、前記移動体ネットワークオペレータに周波数の占有が許可されていない特定周波数帯（アンライセンスバンド）を用いて運用する第２セル（Ｕ−Ｃｅｌｌ）とを有するｅＮＢ２００における通信制御方法である。通信制御方法は、ｅＮＢ２００が、前記特定周波数帯で運用されている周辺セルの物理セル識別子（ＰＣＩ  Ｐｈｙｓｉｃａｌ  Ｃｅｌｌ  Ｉｄｅｎｔｉｔｙ）を取得するステップと、ｅＮＢ２００が、取得した前記周辺セルの前記物理セル識別子以外の物理セル識別子を前記第２セル（Ｕ−Ｃｅｌｌ）に設定するステップとを有する。
【００７７】
ここで、上述の取得するステップにおいて、ｅＮＢ２００が、前記第１セル（Ｌ−Ｃｅｌｌ）に在圏中のＵＥ１００から周辺セルの前記物理セル識別子を取得してもよい。
【００７８】
図７を用いて、ｅＮＢ２００が、Ｌ−Ｃｅｌｌに在圏中のＵＥ１００から周辺セルのＰＣＩを取得する動作を説明する。
【００７９】
ステップＳ７０１で、ｅＮＢ２００は、Ｕ−Ｃｅｌｌの運用開始を決定する。
【００８０】
ステップＳ７０２で、Ｕ−Ｃｅｌｌの運用開始を決定したｅＮＢ２００は、Ｌ−Ｃｅｌｌを介して、アンライセンスドバンドのサーチをＵＥ１００に指示する。
【００８１】
ステップＳ７０３で、アンライセンスドバンドのサーチの指示を受けたＵＥ１００は、アンライセンスドバンドのサーチを行う。
【００８２】
ＵＥ１００は、アンライセンスドバンドをサーチした結果、周辺のＵ−ＣｅｌｌのＰＣＩを発見できた場合（ステップＳ７０３：Ｙｅｓ）には、ステップＳ７０４で、周辺のＵ−ＣｅｌｌのＰＣＩをｅＮＢ２００に報告する。ここで、ＵＥ１００は、周辺のＵ−ＣｅｌｌのＰＣＩを発見できなかった場合には、ｅＮＢ２００に報告しない。
【００８３】
ステップＳ７０５で、周辺のＵ−ＣｅｌｌのＰＣＩの報告を受けたｅＮＢ２００は、周辺のＵ−ＣｅｌｌのＰＣＩ以外のＰＣＩを、運用開始するＵ−Ｃｅｌｌに設定する。
【００８４】
また、上述の取得するステップにおいて、ｅＮＢ２００が、前記周辺セルの前記物理セル識別子を、ｅＮＢ２００自身が周辺セルをサーチすることにより取得してもよい。
【００８５】
図８を用いて、ｅＮＢ２００自身が周辺セルのＰＣＩを取得する動作を説明する。
【００８６】
ステップＳ８０１で、ｅＮＢ２００は、Ｕ−Ｃｅｌｌの運用開始を決定する。
【００８７】
ステップＳ８０２で、ｅＮＢ２００は、アンライセンスドバンドのサーチを実行する。
【００８８】
サーチの結果、周辺のＵ−ＣｅｌｌのＰＣＩを取得したｅＮＢ２００は、ステップＳ８０３で、周辺のＵ−ＣｅｌｌのＰＣＩ以外のＰＣＩを、運用開始するＵ−Ｃｅｌｌに設定する。
【００８９】
ここでＵ−ＣｅｌｌのＰＣＩについては、Ｕ−Ｃｅｌｌを識別するための領域をＬ−Ｃｅｌｌに用いられているＰＣＩフォーマット（通常のＰＣＩフォーマット）に追加してもよい。
【００９０】
Ｕ−ＣｅｌｌのＰＣＩフォーマット例を図１１（Ａ）に示す。図１１（Ａ）の上段が、Ｒｅｌｅａｓｅ１２のＬ−Ｃｅｌｌに用いられているＰＣＩフォーマットである。図１１（Ａ）の下段が、Ｕ−Ｃｅｌｌに用いられるＰＣＩフォーマット例である。このフォーマットでは、Ｕ−Ｃｅｌｌを識別するためにＵ−Ｃｅｌｌ識別子が追加される。具体的には、特定周波数帯（アンライセンスバンド）用の物理セル識別子は、割当周波数帯用（ライセンスバンド）の物理セル識別子に比べて拡張された拡張領域を有する。ｅＮＢ２００は、特定周波数帯用の物理セル識別子をＵ−Ｃｅｌｌに設定する。
【００９１】
（Ｕ−ＣｅｌｌのＰＣＩ検出）
ｅＮＢ２００は、第１のセル（Ｌ−Ｃｅｌｌ）を介して割当周波数帯（ライセンスバンド）用の同期信号を送信し、かつ、第２のセル（Ｕ−Ｃｅｌｌ）を介して特定周波数帯（アンライセンスバンド）用の同期信号を送信する。特定周波数帯用の同期信号は、割当周波数帯用の同期信号とは信号構成が異なる。ＵＥ１００は、そのような信号構成の相違に基づいて、第２セルの同期信号を特定する。
【００９２】
割当周波数帯用の同期信号は、第１の同期信号（ＰＳＳ：Ｐｒｉｍａｒｙ  Ｓｙｎｃｈｒｏｎｉｚａｔｉｏｎ  Ｓｉｇｎａｌ）及び第２の同期信号（ＳＳＳ：Ｓｅｃｏｎｄａｒｙ  Ｓｙｎｃｈｒｏｎｉｚａｔｉｏｎ  Ｓｉｇｎａｌ）からなる。これに対し、特定周波数帯用の同期信号は、第１の同期信号及び第２の同期信号に加えて、特定周波数帯専用の特定の同期信号を含む（図９参照）。
【００９３】
或いは、割当周波数帯用の同期信号には、所定のリソース配置パターンが適用され、特定周波数帯用の同期信号には、所定のリソース配置パターンとは異なるリソース配置パターンが適用されてもよい。例えば、特定周波数帯用のＰＳＳ／ＳＳＳは、割当周波数帯用のＰＳＳ／ＳＳＳとは異なる位置（周波数位置又は時間位置）に配置される。
【００９４】
本実施形態における通信制御方法は、ＵＥ１００が、Ｕ−Ｃｅｌｌを介して、ｅＮＢ２００からＬ−ＣｅｌｌとＵ−Ｃｅｌｌの両方で用いられる第１同期信号（ＰＳＳ）と第２同期信号（ＳＳＳ）を受信すると共に、特定周波数帯用（アンライセンスドバンド用）の特定同期信号（ＵＳＳ）を受信するステップと、ＵＥ１００が、受信した第１同期信号と第２同期信号とからＵ−Ｃｅｌｌを特定するステップとを有してもよい。
【００９５】
具体的には、ＬＴＥで用いられている同期信号であるＰＳＳとＳＳＳに加えて、Ｕ−Ｃｅｌｌ用のＵＳＳ（Ｕ−Ｃｅｌｌ  ｓｐｅｃｉｆｉｃ  Ｓｙｎｃｈｒｏｎｉｚａｔｉｏｎ  Ｓｉｇｎａｌ）を規定する。ＵＥ１００は、ＰＳＳとＳＳＳ、並びに、ＵＳＳからＵ−ＣｅｌｌのＰＣＩを特定する。
【００９６】
図９に、ＵＳＳの配置例を示す。図９において、縦方向が周波数方向であり、横方向が時間方向である。ＰＳＳ、ＳＳＳ、ＣＲＳ（Ｃｅｌｌ  Ｓｐｅｃｉｆｉｃ  Ｒｅｆｅｒｅｎｃｅ  Ｓｉｇｎａｌ）に加えて、ＵＳＳを配置する。ＵＳＳは、所定のサブフレームにおけるアンライセンスドバンドのサブキャリア＃０から＃１１に配置される。
【００９７】
ＵＳＳはＵ−Ｃｅｌｌ上でのみ使用される同期信号である。ＵＳＳを特定すると直交符号系列（例えばＺａｄｏｆｆ−ｃｈｕ系列）の系列番号が一意に特定可能であるように構成される。
【００９８】
ＵＳＳは、ＰＬＭＮ  （Ｐｕｂｌｉｃ  Ｌａｎｄ  Ｍｏｂｉｌｅ  Ｎｅｔｗｏｒｋ）識別子を示すものであってもよく、ＭＮＣ  （Ｍｏｂｉｌｅ  Ｎｅｔｗｏｒｋ  Ｃｏｄｅ）を示すものであってもよい。
【００９９】
ＰＳＳ／ＳＳＳとＵＳＳとの間の間隔（オフセット）は固定でもよく、任意に設定されてもよい。任意に設定される場合、間隔（オフセット）は、Ｌ−Ｃｅｌｌを介して、ｅＮＢ２００から通知されてもよい。
【０１００】
ＰＳＳ、ＳＳＳ、ＣＲＳ、及びＵＳＳを、Ｕ−Ｃｅｌｌ用のＤＲＳ（Ｄｉｓｃｏｖｅｒｙ  Ｒｅｆｅｒｅｎｃｅ  Ｓｉｇｎａｌ）としてもよい。ＤＲＳは、さらにＣＳＩ−ＲＳ（Ｃｈａｎｎｅｌ  Ｓｔａｔｅ  Ｉｎｆｏｒｍａｔｉｏｎ  -  Ｒｅｆｅｒｅｎｃｅ  Ｓｉｇｎａｌ）を含んでもよい。
【０１０１】
また、本実施形態における通信制御方法では、ＵＥ１００が、Ｕ−Ｃｅｌｌを介して、ｅＮＢ２００からＬ−ＣｅｌｌとＳ−Ｃｅｌｌの両方で用いられる第１同期信号（ＰＳＳ）と第２同期信号（ＳＳＳ）とを受信するステップと、ＵＥ１００が、Ｌ−Ｃｅｌｌを介して、ｅＮＢ２００から第１同期信号と第２同期信号の間隔を受信するステップと、ＵＥ１００が、受信した第１同期信号と第２同期信号、並びに、間隔からＵ−Ｃｅｌｌを特定するステップとを有してもよい。
【０１０２】
本実施形態では、ＰＳＳとＳＳＳとの間の間隔（オフセット）を変更することにより、ＰＳＳとＳＳＳ、並びに、間隔からＵ−ＣｅｌｌのＰＣＩを特定する。なお、間隔によりＰＬＭＮ識別子、ＭＮＣを特定してもよい。
【０１０３】
Ｕ−ＣｅｌｌのＰＣＩフォーマットとして、Ｕ−Ｃｅｌｌを識別するための領域をＬ−Ｃｅｌｌに用いられているＰＣＩフォーマットに追加する例を説明したが、Ｌ−ＣｅｌｌのＰＣＩを設定する範囲と、Ｕ−Ｃｅｌｌに割り当てるＰＣＩを設定する範囲が別々に設けられてもよい。すなわち、特定周波数帯用のＰＣＩと割当周波数帯用のＰＣＩとが別々に確保されている。ｅＮＢ２００は、特定周波数帯用のＰＣＩをＵ−Ｃｅｌｌに設定する。
【０１０４】
この場合のＵ−ＣｅｌｌのＰＣＩフォーマット例を図１１（Ｂ）に示す。図１１（Ｂ）の上段が、Ｒｅｌｅａｓｅ１２のＬ−Ｃｅｌｌに用いられているＰＣＩフォーマットである。図１１（Ｂ）の下段が、Ｕ−Ｃｅｌｌに用いられるＰＣＩフォーマット例である。このフォーマットでは、Ｕ−Ｃｅｌｌを識別するためにＵ−Ｃｅｌｌ識別子を既存のＰＣＩフォーマットの一部に設ける。Ｌ−ＣｅｌｌとＵ−Ｃｅｌｌで設定可能なＰＣＩの範囲を分けることにより、Ｌ−ＣｅｌｌとＵ−ＣｅｌｌそれぞれでＰＣＩを設定可能とする。
【０１０５】
別の実施形態として、移動体ネットワークオペレータに割り当てられた周波数帯を用いて運用する第１セル（Ｌ−Ｃｅｌｌ）と、前記移動体ネットワークオペレータに周波数の占有が許可されていない特定周波数帯を用いて運用する第２セル（Ｕ−Ｃｅｌｌ）とを有するｅＮＢ２００と、ＵＥ１００との間の通信制御方法であって、ｅＮＢ２００が、Ｕ−Ｃｅｌｌに物理セル識別子（ＰＣＩ）を設定し、運用を開始するステップと、ｅＮＢ２００又は、ＵＥ１００が、Ｕ−Ｃｅｌｌに設定されているＰＣＩと周辺セルのＰＣＩが重複していることを検出するステップとを有し、周辺セルとＰＣＩが重複している場合、ｅＮＢ２００は、Ｕ−Ｃｅｌｌに別の物理セル識別子を再設定する。
【０１０６】
この実施形態では、ｅＮＢ２００が、Ｕ−Ｃｅｌｌの運用後に周辺セルとＰＣＩが重複していることを検出した場合には、再設定する。
【０１０７】
図１２を用いて具体的な動作を説明する。
【０１０８】
ステップＳ１２０１で、ｅＮＢ２００は、Ｕ−Ｃｅｌｌの運用を開始することを決定する。
【０１０９】
ステップＳ１２０２で、Ｕ−Ｃｅｌｌの運用開始を決定したｅＮＢ２００は、Ｕ−Ｃｅｌｌの物理セル識別子を決定する。ｅＮＢ２００は、Ｕ−Ｃｅｌｌの物理セル識別子をランダムに決定してもよい。
【０１１０】
ステップＳ１２０３で、ｅＮＢ２００は、Ｕ−Ｃｅｌｌの運用準備処理を行う。
【０１１１】
ステップＳ１２０４で、ｅＮＢ２００は、Ｕ−Ｃｅｌｌの運用を開始する。具体的にはＤＲＳの送信を開始する。
【０１１２】
ステップＳ１２０５で、ＵＥ１００は、Ｕ−ＣｅｌｌのＤＲＳを受信し、Ｕ−ＣｅｌｌのＰＣＩが周辺セルのＰＣＩと重複していることを検出する。
【０１１３】
ステップＳ１２０６で、ＵＥ１００は、Ｌ−Ｃｅｌｌを介してｅＮＢ２００に衝突検知報告を送信する。
【０１１４】
ステップＳ１２０７で、ＵＥ１００から衝突検知報告を受信したｅＮＢ２００は、Ｕ−ＣｅｌｌのＰＣＩを再設定する。ｅＮＢ２００は、Ｕ−Ｃｅｌｌの物理セル識別子をランダムに決定してもよい。
【０１１５】
これにより、ＰＣＩが重複した場合でも、Ｕ−ＣｅｌｌのＰＣＩを再設定することにより、ＰＣＩ衝突を解消できる。
【０１１６】
（その他）
図１２に示すＰＣＩ衝突時のシーケンスは、ＤＲＳがセル間で衝突した場合に、再設定する動作にも適用できる。
【０１１７】
また、Ｕ−Ｃｅｌｌと周辺セルのＰＣＩが重複した場合でも、ＵＥ１００が自らのセルの同期シグナル、報知チャネル、あるいはデータチャネルの位置などの送信タイミング（例えば、サブフレーム単位程度の大まかな位置）をずらし、Ｕ−Ｃｅｌｌを特定できるようにすることも可能である。
【０１１８】
この場合には、周辺セルの送信タイミングをｅＮＢ２００自身でサーチする、あるいはＵＥ１００によるサーチ結果を取得し、送信タイミングが周辺セルと重複しないように設定する必要がある。また、Ｕ−Ｃｅｌｌと周辺セルにおける送信タイミングが周期的な場合、周期が同一、あるいは、Ｕ−Ｃｅｌｌの送信タイミングの周期が、周辺セルの送信タイミングのＮ倍（Ｎは任意の整数）になっていることが好ましい。
【０１１９】
［第２実施形態］
次に第２実施形態について説明する。第１実施形態と共通する部分については説明を省略し、差分についてのみ説明する。
【０１２０】
（コンポーネントキャリア間のホッピング）
本実施形態に係るｅＮＢ２００は、特定周波数帯に含まれる複数のコンポーネントキャリアをＵＥ１００に割り当て、第２セル（Ｕ−Ｃｅｌｌ）においてＵＥ１００との通信に用いるコンポーネントキャリアを所定のホッピングパターンで切り替えながらＵＥ１００との通信を行う。ｅＮＢ２００は、第１セルを介して、ＵＥ１００に割り当てる複数のコンポーネントキャリア及び所定のホッピングパターンをＵＥ１００に通知してもよい。ＵＥ１００は、特定周波数帯に含まれる複数のコンポーネントキャリアが自ＵＥ１００に割り当てられた場合、第２セルにおいてｅＮＢ２００との通信に用いるコンポーネントキャリアを所定のホッピングパターンで切り替えながらｅＮＢ２００との通信を行う。
【０１２１】
ｅＮＢ２００は、特定周波数帯を複数のコンポーネントキャリアに分割して使用するように構成されている。通信制御方法は、ｅＮＢ２００が、前記第１セルを介して、ＵＥ１００が使用すべき前記第２セル上のコンポーネントキャリアと、前記複数のコンポーネントキャリア間のホッピングパターンとを、ＵＥ１００に通知するステップと、ＵＥ１００が、ｅＮＢ２００から通知された前記コンポーネントキャリアを用いて前記第２セル上でデータの送受信をするステップとを有する。
【０１２２】
Ｕ−Ｃｅｌｌ上で２つ以上のコンポーネントキャリア（ＣＣ  ：  Ｃｏｍｐｏｒｔｍｅｎｔ  Ｃａｒｒｉｅｒ）を利用可能な場合、周波数ダイバーシティ効果を得るため、コンポーネントキャリア間でデータチャネルの周波数ホッピングが可能である。
【０１２３】
周波数ホッピングを行う時間は、サブフレーム単位、もしくはスロット単位が好ましい。
【０１２４】
図１３に、コンポーネントキャリア間で周波数ホッピングを行う際のコンポーネントキャリア割り当て例を示す。
【０１２５】
例えば、ＵＥ１００−１は、サブフレーム（ＳＦ）＃０では、ＣＣ＃３が割り当てられ、サブフレーム＃１では、ＣＣ＃５が割り当てられる。
【０１２６】
また、例えば、ＵＥ１００−３は、サブフレーム＃２でＣＣ＃３が割り当てられ、サブフレーム＃３でＣＣ＃５が割り当てられる。
【０１２７】
周波数ホッピングを適用する際には、ｅＮＢ２００が、ＵＥ１００に所定時間におけるＵ−Ｃｅｌｌでの用いるコンポーネントキャリアの組み合わせをＵＥへ通知する。また、ｅＮＢ２００は、ＵＥ１００に周波数ホッピングを適応するか否かを示す情報を通知する。当該通知は、データ送信用のリソース割り当て情報に含めることが好ましい。
【０１２８】
ＵＥ１００は、取得した情報を用いて、所定時間に使用するコンポーネントキャリアを特定し、データの送受信を行う。
【０１２９】
（再送制御）
ｅＮＢ２００は、ＵＥ１００に割り当てるコンポーネントキャリアの設定情報として仮想的なコンポーネントキャリア番号をＵＥ１００に通知した後、仮想的なコンポーネント番号とＵＥ１００との通信に実際に用いるコンポーネントキャリアとの対応付けをＵＥ１００に通知する。
【０１３０】
仮想的なコンポーネントキャリア番号は、再送制御処理と関連づけられる。ｅＮＢ２００は、実際に用いるコンポーネントキャリアを変更しても、仮想的なコンポーネントキャリア番号と関連付けられた再送制御処理を継続する。
【０１３１】
本実施形態における通信制御方法は、ｅＮＢ２００が、前記第１セルを介して、前記複数のコンポーネントキャリアの設定情報を通知するステップと、ｅＮＢ２００が、ＵＥ１００がデータの送受信に用いるコンポーネントキャリアを通知するステップと、ＵＥ１００が、前記コンポーネントキャリア上で前記データの受信に失敗した場合には、再送データ待ちタイマを起動するステップとを有する。ＵＥ１００は、前記再送データ待ちタイマ起動中に、前記複数のコンポーネントキャリアのいずれかのコンポーネントキャリアを介して再送データを受信する。
【０１３２】
ここで、前記設定情報を通知するステップにおいて、ｅＮＢ２００は、ＵＥ１００に、前記複数のコンポーネントキャリアの仮想的な番号を通知し、前記データの送受信に用いるコンポーネントキャリアを通知するステップにおいて、ｅＮＢ２００は、ＵＥ１００に、前記仮想的な番号と実際に用いる前記コンポーネントキャリアの対応付けを行ってもよい。
【０１３３】
アンライセンスドバンド上のコンポーネントキャリアは、移動体ネットワークオペレータに割り当てられた周波数帯ではないため、ＵＥ１００とｅＮＢ２００が通信中に使用できなくなることも想定される。このため、アンライセンスドバンド上の再送制御（ＨＡＲＱ制御）の処理を継続的に使用可能とするためには、通信中のコンポーネントキャリアが使用できなくなった場合でも、他のコンポーネントキャリア上でＨＡＲＱ制御を継続する必要がある。
【０１３４】
具体的には、ｅＮＢ２００が使用可能なコンポーネントキャリアを介して再送データを送信すると共に、ＵＥ１００が、アンライセンスドバンド上のいずれかのコンポーネントキャリアを介して再送データを受信することにより上記の課題を解決する。
【０１３５】
ここで、Ｌ−Ｃｅｌｌ上のＨＡＲＱのプロセス番号とＵ−Ｃｅｌｌ上のＨＡＲＱプロセス番号の混在を避けるため、アンライセンスドバンドのコンポーネントキャリア上でＵＥ１００がデータを受信できず、再送が必要となった場合には、アンライセンストバンドのコンポーネントキャリアを用いて再送を行い、ライセンストバンド上のコンポーネントキャリアを用いて再送を行わない。
【０１３６】
図１４を用いて、本実施形態に係るシーケンスを説明する。
【０１３７】
ステップＳ１４０１で、ｅＮＢ２００は、Ｕ−Ｃｅｌｌの運用開始を決定する。
【０１３８】
ステップＳ１４０２で、ｅＮＢ２００は、Ｕ−Ｃｅｌｌの運用開始順準備処理を行う。
【０１３９】
ステップＳ１４０３で、ｅＮＢ２００は、ＵＥ１００に、アンライセンスドバンド上のコンポーネントキャリアの設定情報であるバーチャルＳＣＣ  Ｃｏｎｆｉｇを通知する。バーチャルＳＣＣ  Ｃｏｎｆｉｇには、アンライセンスドバンド上の報知情報等を受信するための設定情報が含まれるが、データの送受信に用いるコンポーネントキャリアの周波数は指定されない。
【０１４０】
ステップＳ１４０４で、ｅＮＢ２００は、ＵＥ１００に、データの送受信に用いるコンポーネントキャリアを通知する（ＳＣＣ  Ａｃｔｉｖａｔｅ）。ここで、ＳＣＣ  Ａｃｔｉｖａｔｅには、バーチャルＳＣＣ  Ｃｏｎｆｉｇとデータの送受信に用いるコンポーネントキャリアを対応付ける情報を含む。
【０１４１】
ステップＳ１４０５で、ｅＮＢ２００は、ＵＥ１００に、アンライセンスドバンド上のコンポーネントキャリア上でリソース割り当てを行う。
【０１４２】
ステップＳ１４０６で、ｅＮＢ２００は、ＵＥ１００に、データを送信する。
【０１４３】
ステップＳ１４０７で、ＵＥ１００は、ｅＮＢ２００からのデータの受信に失敗した場合、ｅＮＢ２００に、Ｎａｃｋ信号を送信する。
【０１４４】
ステップＳ１４０８で、ＵＥ１００は、Ｎａｃｋ信号を送信すると共に、拡張型ＨＡＲＱ再送タイマ（Ｅｘｔｅｎｄｅｄ  ＨＡＲＱ  Ｒｘ  Ｔｉｍｅｒ）を起動し、ＨＡＲＱ再送タイマ起動中に、アンライセンスドバンド上の複数のコンポーネントキャリアのいずれかのコンポーネントキャリアを介して再送データを受信する。
【０１４５】
ここで、ステップＳ１４０３とステップＳ１４０４は同時に実施してもよい。
【０１４６】
図１４では、下りデータの再送について示したが、上りデータの再送についても同様である。
【０１４７】
また、Ｅｘｔｅｎｄｅｄ  ＨＡＲＱ  Ｒｘ  Ｔｉｍｅｒは、ＬＴＥのＨＡＲＱ再送タイマと同じ機能を持つが、アンライセンスドバンド上での帯域確保に要する時間を考慮し、ＬＴＥのＨＡＲＱ再送タイマより長い時間をタイマ値として設定可能である。
【０１４８】
［第３実施形態］
次に第３実施形態について説明する。第１実施形態及び第２実施形態と共通する部分については説明を省略し、差分についてのみ説明する。
【０１４９】
（上りデータのタイミング調整）
本実施形態に係るｅＮＢ２００は、第２セル（Ｕ−Ｃｅｌｌ）を介してランダムアクセスプリアンブルを送信することを指示する指示信号を、第１セル（Ｌ−Ｃｅｌｌ）を介してＵＥ１００に送信する処理と、ＵＥ１００から第２セルを介して受信するランダムアクセスプリアンブルに基づいて、第２セルにおける通信に用いる上り送信タイミングの調整値をＵＥ１００に通知する処理と、を行う。ｅＮＢ２００は、ＵＥ１００に上り送信タイミングの調整値を通知する際に、第２セルにおける通信に用いる上り送信電力をＵＥ１００に指示してもよい。
【０１５０】
ＵＥ１００は、第２セル（Ｕ−Ｃｅｌｌ）を介してランダムアクセスプリアンブルを送信することを指示する指示信号を、第１セル（Ｌ−Ｃｅｌｌ）を介して受信した場合、第２セルを介してランダムアクセスプリアンブルを送信する処理と、第２セルにおける通信に用いる上り送信タイミングの調整値をｅＮＢ２００から受信する処理と、を行う。
【０１５１】
本実施形態における通信制御方法は、ｅＮＢ２００が、ＵＥ１００に、前記第２セルを介してｅＮＢ２００にランダムアクセスプリアンブルを送信することと、前記ランダムアクセスプリアンブルの送信時間を指示する指示信号を、第１セルを介して、送信するステップと、ＵＥ１００が、前記指示信号の受信に応じて、前記第２セルをサーチするステップと、ＵＥ１００が、サーチの結果、前記第２セルを検出できた場合には、前記指示信号で指示された前記送信時間において、前記第２セルを介してｅＮＢ２００に、前記ランダムアクセスプリアンブルを送信するステップと、ｅＮＢ２００が、前記ランダムアクセスプリアンブルを受信したタイミングから、前記第２セルを介して上りデータを送信する際のタイミング調整値を算出するステップと、ｅＮＢ２００が、前記タイミング調整値をＵＥ１００に通知するステップとを有する。ｅＮＢ２００は、ＵＥ１００に前記タイミング調整値を通知する際に、ＵＥ１００に前記上りデータ送信時の送信電力を指示してもよい。
【０１５２】
図１５を用いて本実施形態に係るシーケンスを説明する。
【０１５３】
ステップＳ１５０１において、ｅＮＢ２００は、Ｕ−ＣｅｌｌでＵＥ１００からの上りデータ（ＵＬデータ）を受信することを決定する。
【０１５４】
ステップＳ１５０２において、ｅＮＢ２００は、ＵＥ１００に、Ｌ−Ｃｅｌｌを介して、ランダムアクセスプリアンブル（ＲＡ  Ｐｒｅａｍｂｌｅ）送信の指示を行う。
【０１５５】
ステップＳ１５０３において、ＵＥ１００は、アンライセンスドバンドをキャリアセンスする。
【０１５６】
ステップＳ１５０４において、ＵＥ１００は、ｅＮＢ２００に、キャリアセンスにより検出したＵ−Ｃｅｌｌを介して、ＲＡ  ｐｒｅａｍｂｌｅを送信する。
【０１５７】
ステップＳ１５０５において、ＲＡ  ｐｒｅａｍｂｌｅを受信したｅＮＢ２００は、タイミング差を計算する（ＴＡ（Ｔｉｍｉｎｇ  Ａｄｖａｎｃｅ）の算出）。
【０１５８】
ステップＳ１５０６において、ｅＮＢ２００は、ＵＥ１００に、Ｌ−Ｃｅｌｌを介して、ランダムアクセスレスポンス（ＲＡＲ）を送信する。
【０１５９】
これにより、ｅＮＢ２００は、ＵＥ１００に対して、算出されたタイミング差を用いて上りリンクデータ送信用リソースを適切に割り当てることができる。
【０１６０】
なお、Ｓ１５０３において、キャリアセンスの結果、前記指示信号で指定された時間にRA preambleを送信できないと判断した場合、ステップＳ１５０４以降の処理を中止する。
【０１６１】
また、上述した方法以外に、ｅＮＢ２００が、ライセンストバンドとアンライセンスドバンドに同じＴＡ（Ｔｉｍｉｎｇ  Ａｄｖａｎｃｅ）が適応できると思われるＵＥ１００をＲＲＭ（Ｒａｄｉｏ  Ｒｅｓｏｕｅｃｅ  Ｍａｎａｇｅｍｅｎｔ）用のＭｅａｓｕｒｅｍｅｎｔ  Ｒｅｐｏｒｔ等から推定し、適切なＵＥ１００を選択することも可能である。
【０１６２】
また、図１６に示すように、１つのコンポーネントキャリアを、同時に１つのＵＥ１００にのみ割り当てることで、ＵＥ１００間で上りデータが衝突するのを回避することも可能である。この場合、ｅＮＢ２００は、ＵＥ１００に、上りデータ送信用のリソース割り当て情報、具体的には送信タイミングを通知し、ＵＥ１００が指定された送信タイミングで上りデータを送信する。
【０１６３】
（送信電力制御）
本実施形態に係るＵＥ１００は、第２セル（Ｕ−Ｃｅｌｌ）で送信されているリファレンス信号の測定指示をｅＮＢ２００から受信した場合、リファレンス信号に基づいてｅＮＢ２００と自ＵＥ１００との間のパスロスを推定し、パスロスに基づいて第２セルにおける通信に用いる上り送信電力を決定する。
【０１６４】
本実施形態の通信制御方法は、ｅＮＢ２００が、ＵＥ１００に、第２セルで送信されているリファレンス信号の受信を指示するステップと、ＵＥ１００が、前記リファレンス信号を受信し、前記リファレンス信号から前記第２セルにおけるｅＮＢ２００とＵＥ１００間のパスロスを推定するステップと、ＵＥ１００が、推定された前記パスロスから上りデータ送信時の送信電力を決定するステップとを有する。
【０１６５】
図１７を用いて本実施形態に係るシーケンスを説明する。
【０１６６】
ステップＳ１７０１で、ＵＥ１００は、ｅＮＢ２００からＵ−Ｃｅｌｌを介して送信されるＤＲＳを受信する。
【０１６７】
ステップＳ１７０２で、ＵＥ１００は、受信したＤＲＳもしくはＤＲＳを構成する  Ｃｅｌｌ  Ｓｐｅｃｉｆｉｃ  ｒｅｆｅｒｅｎｃｅ  ｓｉｇｎａｌ（ＣＲＳ）からＵ−Ｃｅｌｌにおけるパスロス（ｐａｔｈ  ｌｏｓｓ）を推定する。
【０１６８】
ステップＳ１７０３で、ＵＥ１００は、推定されたパスロスからＵ−Ｃｅｌｌを介して上りデータを送信する際の送信電力を決定する。
【０１６９】
上記の手順により、Ｕ−Ｃｅｌｌにおけるパスロスを考慮して送信電力を適切に決定することができる。
【０１７０】
なお、ＤＲＳ、もしくはＤＲＳを構成するＣＲＳの送信電力を、明示的に通知してもよい。
【０１７１】
また、上述した方法以外に、ｅＮＢ２００が、ライセンストバンドとアンライセンスドバンドに同じ上り送信電力を適応できると思われるＵＥ１００をＲＲＭ（Ｒａｄｉｏ  Ｒｅｓｏｕｅｃｅ  Ｍａｎａｇｅｍｅｎｔ）用のＭｅａｓｕｒｅｍｅｎｔ  Ｒｅｐｏｒｔ等から推定し、適切なＵＥ１００を選択し、ライセンストバンドとアンライセンスドバンドで同一の上り送信電力を設定することも可能である。
【０１７２】
また、ＲＡＣＨの手順（図１５、ステップＳ１５０１乃至Ｓ１５０６参照）におけるランダムアクセスレスポンス（ＲＡＲ）にて、ｅＮＢ２００が、ＵＥ１００に上り送信電力を指示、具体的にはＰｏｗｅｒ  Ｃｏｎｔｒｏｌ  Ｃｏｍｍａｎｄの送信を行ってもよい。
【０１７３】
（ＭＣＳ選択）
本実施形態に係るｅＮＢ２００は、第２セル（Ｕ−Ｃｅｌｌ）で送信されているリファレンス信号の測定指示をＵＥ１００に送信する処理と、リファレンス信号の測定結果をＵＥ１００から受信した場合、受信結果に基づいて、第２セルにおける通信に用いる上り変調方式を決定する処理と、を行う。
【０１７４】
本実施形態の通信制御方法は、ｅＮＢ２００が、ＵＥ１００に、前記第２セルで送信されているリファレンス信号の受信を指示するステップと、ＵＥ１００が、ｅＮＢ２００の指示に応じて、前記リファレンス信号を受信し、受信結果をｅＮＢ２００に報告するステップと、ｅＮＢ２００が、前記受信結果から、前記第２セルで適用する変調方式（ＭＣＳ：  Ｍｏｄｕｌａｔｉｏｎ  ａｎｄ  Ｃｏｄｉｎｇ  Ｓｃｈｅｍｅ）を決定するステップを有する。
【０１７５】
図１８を用いて、本実施形態に係るシーケンスを説明する。
【０１７６】
図１８のシーケンスでは、ｅＮＢ２００から、ＵＥ１００にＤＲＳの受信結果を報告するように設定されている（ＤＲＳ  Ｃｏｎｆｉｇ）ことを前提とする。
【０１７７】
ステップＳ１８０１で、ＵＥ１００は、ｅＮＢ２００からＵ−Ｃｅｌｌを介して送信されるＤＲＳを受信する。
【０１７８】
ステップＳ１８０２で、ＵＥ１００は、ｅＮＢ２００にＬ−Ｃｅｌｌを介してＤＲＳ、もしくはＤＲＳを構成するＣｅｌｌ  Ｓｐｅｃｉｆｉｃ  ｒｅｆｅｒｅｎｃｅ  ｓｉｇｎａｌ（ＣＲＳ）  及び／または  Ｃｈａｎｎｅｌ  Ｓｔａｔｅ  Ｉｎｆｏｒｍａｔｉｏｎ  ｒｅｆｅｒｅｎｃｅ  ｓｉｇｎａｌ  （ＣＳＩ−ＲＳ）測定結果を報告する。
【０１７９】
ステップＳ１８０３で、ｅＮＢ２００は、ＵＥから報告された前記測定結果を基に、ＵＥ１００からの上りデータ送信時に適用するＭＣＳを決定する。
【０１８０】
なお、ｅＮＢ２００は、決定した上りリンク送信時のＭＣＳを、上りリンクデータ送信用のリソース割り当て情報に含めてＵＥ１００に通知する。
【０１８１】
上記の手順によりＵ−Ｃｅｌｌ上でのＤＲＳの受信状況からＭＣＳを適切に設定することができる。
【０１８２】
［第４実施形態］
次に第４実施形態について説明する。第１実施形態乃至第３実施形態と共通する部分については説明を省略し、差分についてのみ説明する。
【０１８３】
本実施形態に係るｅＮＢ２００は、第２セル（Ｕ−Ｃｅｌｌ）におけるＵＥ１００へのデータ送信が終了してからリファレンス信号の送信を行うまでの所定期間内で、第２セルにおける送信を停止するとともに、特定周波数帯における他装置の割り込みを監視する。
【０１８４】
本実施形態に係る通信制御方法は、ｅＮＢ２００が、前記第２セルを介して送信される最後の下りデータ送信後に、ＵＥ１００から、対応する受信確認信号を受信するステップと、ｅＮＢ２００が、前記受信確認信号を受信後に、前記下りデータを含む下り無線信号を、前記第２セルを介して送信することを、所定期間（バックオフ時間）、停止するステップと、ｅＮＢ２００が、前記所定期間の経過後に、前記リファレンス信号の送信を再開するステップとを有する。ｅＮＢ２００は、前記所定期間を、ランダムに、若しくは、前記第２セルの使用状況に、基づいて設定する。
【０１８５】
図１９を用いて、本実施形態に係るシーケンスを説明する。
【０１８６】
ステップＳ１９０１で、ＵＥ１００は、ｅＮＢ２００から、Ｕ−Ｃｅｌｌを介して最後の下りデータを受信する。例えば日本では、ｅＮＢ２００は法規制上、Ｕ−Ｃｅｌｌを介して下りデータの送信を４ｍｓ以上継続して実施できない。下りデータの送信開始から４ｍｓ経過すると一旦送信を停止する。このため、本ステップにおける最後の下りデータには、ｅＮＢ２００からＵＥ１００への最後の下りデータである場合と、下りデータの送信が停止された場合の両方を含むことに留意すべきである。
【０１８７】
ステップＳ１９０２で、ＵＥ１００は、ｅＮＢ２００に送達確認信号（Ａｃｋ）をＬ−Ｃｅｌｌを介して送信する。
【０１８８】
ステップＳ１９０３で、ＵＥ１００から最後の下りデータの送達確認信号を受信したｅＮＢ２００のＬ−Ｃｅｌｌ機能部は、ｅＮＢ２００のＵ−Ｃｅｌｌ機能部に最後の下りデータの送達確認信号を転送する。
【０１８９】
ステップＳ１９０４で、ｅＮＢ２００のＵ−Ｃｅｌｌ機能部は、ｅＮＢ２００のＬ−Ｃｅｌｌ機能部に送達確認信号の受信を通知する。
【０１９０】
ステップＳ１９０５で、ｅＮＢ２００は、バックオフ時間を計算する。ここでバックオフ時間とは下りデータやリファレンス信号等を、ｅＮＢ２００が、Ｕ−Ｃｅｌｌを介して送信することを停止する時間である。
【０１９１】
ステップＳ１９０６で、ｅＮＢ２００は、バックオフ時間の間に、Ｕ−Ｃｅｌｌ運用の再開のため、運用準備処理を行う。
【０１９２】
ステップＳ１９０７で、ｅＮＢ２００は、バックオフ時間の経過後に、Ｕ−Ｃｅｌｌを介してＤＲＳの送信を再開する。
【０１９３】
ここでバックオフ時間は、他機器とアンライセンスドバンドを公平に分け合うために設けられる時間である。バックオフ時間は、ある機器が、データの送信を終了してから再びデータの送信するまで、一定の期間データの送信を停止する時間である。
【０１９４】
ここで、バックオフ時間は、ランダムで選択されてもよく、所定のパラメータ（たとえばＵ−ＣｅｌｌのＰＲＢ  （Ｐｈｙｓｉｃａｌ  Ｒｅｓｏｕｒｃｅ  Ｂｌｏｃｋ）  使用率等）  から決定されてもよい。
【０１９５】
ｅＮＢ２００は、バックオフ時間の間に他機器の割り込みを監視し、割り込みがあった場合、バックオフ時間が経過後も、所定帯域が継続利用不可能と判断する。
【０１９６】
ｅＮＢ２００は、バックオフ時間の間に、バースト時間経過後の下りデータの送信準備、例えばバックオフ時間経過後に、Ｕ−Ｃｅｌｌ上で上りリソースを割り当て予定のＵＥ１００への、Ｌ−Ｃｅｌｌを介してのコンポーネントキャリアの起動指示などである。
【０１９７】
上述した手順により、アンライセンスドバンド使用時のデータ送信の停止規則を守りつつ、データ送信再開後の準備を行うことが可能となる。
【０１９８】
［その他の実施形態］
上述した実施形態では、移動通信システムの一例としてＬＴＥシステムを説明したが、ＬＴＥシステムに限定されるものではなく、ＬＴＥシステム以外のシステムに本発明を適用してもよい。
【０１９９】
また、上述した実施形態では、Ｕ−Ｃｅｌｌを管理するｅＮＢ２００とＬ−Ｃｅｌｌを管理するｅＮＢが物理的に同一の装置に実装されている形態で説明したが、Ｕ−Ｃｅｌｌを管理するｅＮＢ２００とＬ−Ｃｅｌｌを管理するｅＮＢが別の物理装置に実装されてもよいことは勿論である。
【０２００】
シーケンス等については、本発明の実施形態の一例を示すものであり、発明の内容を限定するものではない。
【０２０１】
[付記１]
（１．はじめに）
無線通信システムにおけるトラフィック需要の増加に伴い、より良いＱｏＳを提供し続けるために追加的な周波数が必要とされる。携帯電話事業者によるアンライセンスドスペクトルの使用は、無線サービスを提供するために利用可能な選択肢の一つである。ＬＴＥを用いた新しい検討項目であるライセンスアシストアクセス（ＬＡＡ）が合意されている。これによると、他の技術と共存し、規制要件を満たすと同時に、アンライセンスドスペクトルに対するライセンスアシストアクセスを可能にするようにＬＴＥを強化し、単一の包括的なソリューションを決定するための検討が必要である。リリース１３の時間枠の制限のため、アンライセンスドスペクトルの検討は、次のガイドライン及び仮定に従うべきである。
【０２０２】
・アンライセンスドスペクトルに対するライセンスアシストアクセスのための単一の包括的なソリューションフレームワークを決定する。
【０２０３】
デュアルコネクティビティは検討項目に含まれていない。
【０２０４】
アンライセンスドスペクトルへのスタンドアロンのアクセスは、検討項目の一部ではない。
【０２０５】
・ＤＬ専用であるか、又はＵＬとＤＬが含まれている１つ以上の低電力Ｓｃｅｌｌ（すなわち、規制電力制限に基づく）がアンライセンスドスペクトルで動作するような、ＬＴＥキャリアアグリゲーションの構成とアーキテクチャとに焦点を当てる。
【０２０６】
ＬＴＥキャリアアグリゲーションでは、ＵＥがＳｃｅｌｌのブロードキャストシステム情報を受信することは想定されていない。
【０２０７】
・可能な限り既存のＬＴＥ設計の特徴や機能を再利用する。
【０２０８】
本付記では、既存のＬＴＥ設計を使用して、設計目標とＬＡＡの必要な機能を説明する。
【０２０９】
（２．設計対象）
ＬＴＥ物理層のハイレベル設計
アンライセンスドスペクトルに対するライセンスアシストアクセスを可能とする素直な方法は、異なる国や地域における各種規制を適合させるための拡張及び修正を加えた上で現在のＬＴＥ物理層を再利用することである。このアプローチは、標準化に必要な労力を最小限に抑える事が出来ると考えられる。しかし、Ｗｉ−Ｆｉのような他の既に配備されているアンライセンスドスペクトルでの使用を前提とした技術との共存を保証する必要がある。別のアプローチは、可能な限り既存の機能を再利用した上で、全く新しいＬＴＥ物理層の設計（すなわち、アンライセンスドスペクトルについて、さらなるＬＴＥ物理層の強化）を作成することである。このアプローチは、他のアンライセンスドスペクトルの配備との良好な調和を実現する効果的なＬＴＥ物理層を得る事が出来る可能性が高まる。一方、それは集中制御システムの利点を失う可能性があり、ライセンスドＬＴＥシステムを改悪する可能性がある。また、新しい物理層の設計は、リリース１３の時間枠内で完了することは非常に困難である可能性がある。したがって、アンライセンスドスペクトルのためのＬＴＥ物理層は、規則に適合するための拡張と共に既存のＬＴＥのリリース１２の設計を再利用すべきであることを提案する。
【０２１０】
単一の包括的なソリューションフレームワーク
ＬＡＡ動作のための単一の包括的なソリューションを決定することが要求される。したがって、それぞれの国や地域の規制を満たすことができる１つの統合ＬＡＡソリューションを検討する必要がある。アンライセンスドスペクトルの規制はそれぞれの国や地域で異なっているので、最も厳しい国と地域の規制を使用してシステムを設計することが要求される。例えば、ＬＡＡの機能を有効にするには、動的周波数選択（ＤＦＳ）、送信電力制御（ＴＰＣ）、リスンビフォアトーク（ＬＢＴ）、及びバースト伝送方式は、既存の物理層の設計に組み込まれることを考慮しなければならない。上記の特徴が必須か任意かは更なる検討が必要である。
【０２１１】
他のアンライセンスドスペクトルの配備との共存
他のアンライセンスドスペクトルの配備との共存のための設計目標を定義することが要求される。Ｗｉ−Ｆｉとの公平性のために、ＬＡＡはＷｉ−Ｆｉサービスに影響を与えるべきではない。異なるＬＡＡオペレータ間と同じ帯域でのＬＡＡと他の技術との間の公平性の共存は、同様に設計目標である。
【０２１２】
（３．必要な機能強化）
この節では、法規制、Ｗｉ−Ｆｉとの共存、他のＬＡＡサービス・無線アクセスとの共存の観点から、上記の設計目標を達成するために必要な機能強化を検討する。
【０２１３】
１．規制
第２節で述べたように、ＤＦＳ、ＴＰＣ、ＬＢＴ、及びＬＴＥバースト伝送は、アンライセンスドスペクトルを使用するためにいくつかの国や地域で必要とされる。ほぼすべての国は、いくつかのバンドのためのＤＦＳ及びＴＰＣに関連する要件がある。これらの機能は、既存のリリースではサポートされていないが、上記の要件を満たすためにそれらを導入すべきである。また、ヨーロッパと日本で求められているＬＢＴとバースト伝送も同様に導入されるべきである。
【０２１４】
２．Ｗｉ−Ｆｉとの共存
アンライセンスドスペクトルにおけるコンポーネントキャリア（ＣＣ）の帯域幅
５ＧＨｚのスペクトルは、無線ＬＡＮで使用するために２０ＭＨｚの帯域幅毎に分割される。アンライセンスドスペクトル中のＣＣが、よりよい共存のために、この帯域幅と整合されるべきである。ＣＣがライセンスドバンド中又はアンライセンスドスペクトル中であるかに拘らず、集約されたＣＣの最大数は５であることに留意すべきである。これは、必要に応じて、４つまでのＣＣが同時に集約されることが必要であることを意味する。
【０２１５】
ＣＣ内又はＬＴＥバースト内でのリソース占有
Ｗｉ−Ｆｉとの効果的な共存を実現するために、ライセンスドスペクトルは、「オンデマンド」ベースで使用されるべきである。リソースの占有率は極めて低いにも関わらず、ＬＴＥがアンライセンスドスペクトルを使用することは好ましい状況ではない（図２０における左の図を参照。）。従って、アンライセンスドスペクトルのＣＣにおける最小リソース占有ルールを仕様化する必要がある。また、アンライセンスドバンドのＣＣでのオン期間中であっても、同じリソース上でのＷｉ−Ｆｉの割り込みを可能にするために、ＬＴＥ送信に短いアイドル期間を作成すべきである（例えば、ＬＴＥ方式のバースト）。その場合には、アンライセンスドスペクトルのＬＴＥバーストにおける最小リソース占有ルールもまた仕様化すべきである。
【０２１６】
３．他のＬＡＡサービスとの共存
ＰＣＩ（物理セルＩＤ）衝突回避
同じＰＣＩが隣接セルに割り当てられるべきではない。オペレータのネットワーク内では、セル計画やＳＯＮ機能によって達成することができる。しかし、セルの数が増加するにつれてＰＣＩ衝突が予想される。
【０２１７】
複数のＬＡＡのサービスで同じＣＣの共有
１つのＣＣが複数のＬＡＡサービスによって共有される状況がある。その場合には、Ｗｉ−ＦｉとＬＡＡサービス間の共存のシナリオよりも、より緊密な連携を達成することができる。時間領域と周波数領域の両方のリソース共有を考慮することができる。時間領域のリソース共有に関する、周期的なリソースの共有又はバーストリソース共有を考慮すべきである。
【０２１８】
４．無線アクセス
アンライセンスドスペクトルにおけるＵＥ・セル間の同期
アンライセンスドスペクトルを「オンデマンド」ベースで使用する場合、同期のためにＤＲＳを再利用するのが妥当である。
【０２１９】
アンライセンスドスペクトルにおけるマルチアンテナ伝送のサポートとそれに関連するフィードバック
最大スループットを達成するために、マルチアンテナ伝送はアンライセンスドスペクトル帯域でサポートされるべきである。また、ビームフォーミングに基づく技術は、アンライセンスドスペクトルに不要な干渉が発生しないことにより、効果的である。アンライセンスドスペクトルＣＳＩ情報のフィードバックをマルチアンテナ送信技術において実装することが考慮されるべきである。
【０２２０】
ＨＡＲＱプロトコル
ＬＴＥバーストが適用される場合、ＨＡＲＱ  ＡＣＫ／ＮＡＣＫの送信と対応する再送が修正されるべきである。アンライセンスドスペクトルがＵＬ伝送として使用される場合、同期ＨＡＲＱの設計を適用し続けることができるかを議論するべきである。
【０２２１】
スケジューリング及び必要なフィードバック
動的スケジューリングは、ライセンススペクトルと同じようにアンライセンスドスペクトルでサポートされるべきである。自己スケジューリングとクロスキャリアスケジューリングの両方がサポートされるべきである。アンライセンスドスペクトルを「オンデマンド」ベースで使用する場合、ｅＮｏｄｅＢは、ＵＥからの必要なフィードバックを取得するためのいくつかの拡張が必要とされる。既存のＰＤＣＣＨの設計が十分ロバストか否かのさらなる検討が必要とされる。
【０２２２】
（４．要求される機能）
この節では、第３節で説明した潜在的な問題に対応する必要な機能について議論する。ＤＬのみのシナリオの完了に高い優先度があるため、ＬＡＡに要求される機能をＤＬのみ（表１乃至表４）とＵＬ特有（表５）とに分ける。
【０２２３】
【表１】
2016047628.tif 000003
【０２２４】
【表２】
2016047628.tif 000004
【０２２５】
【表３】
2016047628.tif 000005
【０２２６】
【表４】
2016047628.tif 000006
【０２２７】
【表５】
2016047628.tif 000007
【０２２８】
[付記２]
（１．はじめに）
ＬＴＥを用いたライセンスアシストアクセス（ＬＡＡ）に関する検討が承認されている。装置内、同一チャネル、ＲＡＴ内・ＲＡＴ間の隣接チャネルの共存シナリオを考慮すべきである。加えて、この検討項目の焦点は、ＬＴＥキャリアアグリゲーション構成や、ＬＴＥ  ＦＤＤ又はＬＴＥ  ＴＤＤで、ＤＬのみ又はＵＬ・ＤＬの両方で動作する１種以上の低消費電力Ｓｃｅｌｌがアンライセンスドスペクトルで動作するアーキテクチャに焦点を当てている。本付記では、上記の仮定を考慮して配備シナリオや評価手法を検討する。
【０２２９】
（２．配備シナリオ）
この節では、ＬＡＡの配備シナリオを検討する。この検討項目の配備モデルは、次の２つのモデルに分類できる。
【０２３０】
１）複数セルが同一場所の場合
２）セル間で理的なバックホールを有し、複数セルが異なる場所の場合
【０２３１】
カバレッジエリアがライセンスキャリアとは全く異なる場合、例えば、マクロセルとＲＲＨアンライセンスドセルの場合、このような大きなカバレッジエリアでアンライセンスドのキャリアを制御することが難しい。また、このような場合には、ライセンス小セルはＷｉＦｉとの公平性を考慮して使用されるべきである。そこで、図２３に示すように、ＬＡＡセル小セルと共同配置されるメインシナリオを想定する。ＬＡＡのために、小セル強化（ＳＣＥ）のシナリオを再利用及び修正することを提案する。例えば、周波数が３．５ＧＨｚから５ＧＨｚ帯に変更される。
【０２３２】
提案１：  最小の修正を加えた小セル強化（ＳＣＥ）のシナリオがＬＡＡの検討項目評価のために再利用されるべきである。
【０２３３】
屋内と屋外の両方の配備を検討する。そこで、屋内配備のためのシナリオ２ｂと屋外配備のためのシナリオ２ａをＬＡＡ検討項目の同じシナリオ（表６）に再利用することを提案する。
【０２３４】
提案２：  屋内配備のためのシナリオ２ｂと屋外配備のためのシナリオ２ａをＬＡＡ検討項目の評価に再利用すべきである。
【０２３５】
【表６】
2016047628.tif 000008
【０２３６】
ＬＡＡセルとＷｉＦｉ  ＡＰの配備
次のような状況を考慮する必要がある。
【０２３７】
１）ＷｉＦｉとの共存
２）別のオペレータのＬＡＡセルとの共存
【０２３８】
ＷｉＦｉやアンライセンスドバンドへの影響を評価するために小セルシナリオからセル配備を変更する。小セルをＬＡＡセル及びＷｉＦｉ  ＡＰに変更し、４つのパターンに分類する。表７は、提案される配備シナリオである。パターンＡとパターンＢを比較すると、ＷｉＦｉとの共存の影響を評価することができる。パターンＣ又はパターンＤを比較すると、異なる事業者ＬＡＡセルとの共存の影響を評価することができる。
【０２３９】
提案３：  ＬＡＡセル及びＷｉＦｉ  ＡＰのための配備シナリオは、表７に示されている。
【０２４０】
【表７】
2016047628.tif 000009
【０２４１】
ＵＥのドロップシナリオ
ＵＥドロップシナリオを小セルシナリオから変更する。Ｗｉ−ＦｉセルとＬＡＡセル当たりのＵＥの総数は１０であることを提案する。一部のＵＥは、Ｗｉ−ＦｉとＬＡＡセルの両方に接続することができる。表８に示されるようなＵＥドロップを提案する。
【０２４２】
提案４：  表８に示すようにＵＥドロップシナリオを使用することを提案する。
【０２４３】
【表８】
2016047628.tif 000010
【０２４４】
その他のシミュレーション条件
さらに、以下の条件を前提とする。
【０２４５】
１）帯域幅が２０ＭＨｚ（１ＣＣ）である
２）ＷｉＦｉがＩＥＥＥ８０２．１１ａｃである
３）２つの送信アンテナと２つの受信アンテナ
【０２４６】
（３．評価方法）
ＬＡＡセルが同じキャリアに追加のＷｉＦｉネットワークよりもＷｉＦｉサービス（データ、ビデオ、音声サービス）以上に影響を与えるべきではない。表９に示すように、ＬＡＡとＷｉＦｉ間の公平性を推定するための性能指標を考慮する。
【０２４７】
【表９】
2016047628.tif 000011
【０２４８】
例えば、ＷｉＦｉのスループットに与える影響は、上記の性能指標を用いて次のように評価される。
【０２４９】
１）ＷｉＦｉのスループットは、パターンＡの場合にはＸである
２）ＷｉＦｉのスループットは、パターンＢの場合にはＹである
【０２５０】
X = <Yの場合、ＬＴＥ−Ｕは、ＷｉＦｉネットワークへの公平性を達成する。
【０２５１】
提案５：  ＷｉＦｉネットワークの公平性を測定するために使用される性能指標を表９に示す。
【０２５２】
［相互参照］
米国仮出願第６２／０５６０４７号（２０１４年９月２６日出願）の全内容が、参照により本願明細書に組み込まれている。
【産業上の利用可能性】
【０２５３】
本発明によれば、特定周波数帯を移動体通信に利用可能とする通信制御方法を提供することができる。
【図１】
2016047628.tif 000012
【図２】
2016047628.tif 000013
【図３】
2016047628.tif 000014
【図４】
2016047628.tif 000015
【図５】
2016047628.tif 000016
【図６】
2016047628.tif 000017
【図７】
2016047628.tif 000018
【図８】
2016047628.tif 000019
【図９】
2016047628.tif 000020
【図１０】
2016047628.tif 000021
【図１１】
2016047628.tif 000022
【図１２】
2016047628.tif 000023
【図１３】
2016047628.tif 000024
【図１４】
2016047628.tif 000025
【図１５】
2016047628.tif 000026
【図１６】
2016047628.tif 000027
【図１７】
2016047628.tif 000028
【図１８】
2016047628.tif 000029
【図１９】
2016047628.tif 000030
【図２０】
2016047628.tif 000031
【図２１】
2016047628.tif 000032
【図２２】
2016047628.tif 000033
【図２３】
2016047628.tif 000034
【国際調査報告】
2016047628.tif 000035
2016047628.tif 000036
2016047628.tif 000037
2016047628.tif 000038
2016047628.tif 000039
2016047628.tif 000040
2016047628.tif 000041
2016047628.tif 000042
2016047628.tif 000043
2016047628.tif 000044
2016047628.tif 000045
2016047628.tif 000046